(57)【要約】      （修正有）【課題】シャッタ羽根をアクチュエータと干渉しない位置に配設することにより薄型化が可能であると共に、部品点数が少ないシャッタ装置を提供する。【解決手段】本シャッタ装置に係わるシャッタ羽根２７は、一端部側に開口部２６ａを開閉可能な遮蔽部２７ｂが形成されると共に、他端部側の支持溝２７ｃに第１ガイド部材２３の支持突起２３ｂが係合して支持され、マグネット２５とコイル３０からなるアクチュエータを駆動すると、第１ガイド部材２３がベース部材２６の一方の面に沿って回動すると共に、シャッタ羽根２７がシャッタ羽根支持部２６ｄを支点として回動して一端部側の遮蔽部２７ｂが開口部２６ａを開閉可能になっており、開口部２６ａを開閉するシャッタ羽根２７は、アクチュエータと干渉しない位置に配設されている。【選択図】図１
2005242277.tif 000002
【特許請求の範囲】
【請求項１】
所定の口径の開口部を有するベース部材と、このベース部材のシャッタ羽根支持部に支持されて前記開口部を開閉可能なシャッタ羽根と、このシャッタ羽根を回動操作可能なアクチュエータとを備え、前記アクチュエータは、前記ベース部材に沿って回動自在に支持されたガイド部材を有し、
前記シャッタ羽根は、一端部側が前記開口部を開閉可能になっていると共に、他端部側が前記ガイド部材に支持され、前記アクチュエータの駆動で、前記ガイド部材が前記ベース部材に沿って回動することにより、前記シャッタ羽根が前記シャッタ羽根支持部を支点として回動して前記シャッタ羽根の一端部側が前記開口部を開閉可能になっており、前記開口部を開閉する前記シャッタ羽根は、前記アクチュエータと干渉しない位置に配設されていることを特徴とするシャッタ装置。
【請求項２】
前記アクチュエータは、前記ガイド部材に固着したマグネットと、このマグネットと対向する側に配設したコイルとを有し、このコイルに通電して発生する磁束が前記マグネットの磁束に作用して、前記ガイド部材が前記ベース部材に沿って回動するようにしたことを特徴とする請求項１記載のシャッタ装置。
【請求項３】
前記ガイド部材は、一端部側が前記ベース部材に形成したガイド部材支持部に支持されると共に、他端部側に形成した羽根係合部が前記シャッタ羽根の前記他端部に形成した係合部に係合可能になっており、前記ガイド部材が回動して、前記羽根係合部が前記シャッタ羽根の係合部内をスライドすると、前記シャッタ羽根が前記開口部を開閉する方向に回動するようになっていることを特徴とする請求項２記載のシャッタ装置。
【請求項４】
前記ガイド部材は、前記ベース部材の一方の面に沿って回動可能に配設され、前記シャッタ羽根は、前記ベース部材の他方に面に形成した前記シャッタ羽根支持部に支持されて回動可能になっており、前記ベース部材は、前記マグネットが位置する部分が開放されて、前記マグネットと前記コイルとが対向していることを特徴とする請求項２または３記載のシャッタ装置。
【請求項５】
前記コイルは、導線を巻回した巻線コイルで形成されて、前記マグネットと所定寸法のギャップを有して対向する側に配設したことを特徴とする請求項２乃至４のいずれかに記載のシャッタ装置。
【請求項６】
前記ベース部材の前記他方の面には、絞り羽根支持部が形成され、この絞り羽根支持部には、前記開口部の口径より小さい小径穴を有する絞り羽根が回動自在に支持されてことを特徴とする請求項１乃至５のいずれかに記載のシャッタ装置。
【請求項７】
前記絞り羽根は、前記シャッタ羽根を駆動可能な前記アクチュエータとは異なるアクチュエータによって独立して駆動可能になっていることを特徴とする請求項６記載のシャッタ装置。
【請求項８】
前記絞り羽根は、前記アクチュエータと干渉しない位置に配設されていることを特徴とする請求項７記載のシャッタ装置。
【請求項９】
前記ガイド部材を介して前記マグネットと対向する側には、板状のヨークが配設され、このヨークには、前記シャッタ羽根が前記開口部を開放状態、または遮蔽状態にある時の前記ガイド部材に固着した前記マグネットを、所定の保持力で保持可能な保持部が形成されていることを特徴とする請求項２乃至８のいずれかに記載のシャッター装置。
【請求項１０】
前記シャッタ羽根が前記開放状態、または前記遮蔽状態において、前記マグネットと前記保持部との間に所定寸法のギャップが形成されていることを特徴とする請求項９記載のシャッター装置。
【請求項１１】
前記ガイド部材の回動方向における幅寸法は、前記マグネットの幅寸法より小さく形成され、前記マグネットの幅方向の両端面が前記ガイド部材の幅方向の両端面から外側にはみ出た状態で前記マグネットが前記ガイド部材に固着され、前記シャッタ羽根が前記開放状態、または前記遮蔽状態において、前記マグネットのはみ出し部分の下面と対向する前記保持部との間に、前記ギャップが形成されるようになっていることを特徴とする請求項１０記載のシャッター装置。
【請求項１２】
前記保持部は、前記ヨークの一部を所定高さで突出させて形成したことを特徴とする請求項９乃至１１のいずれかに記載のシャッター装置。
【発明の詳細な説明】
【技術分野】
【０００１】
本発明は、シャッタ装置に係わり、デジタルムービーカメラあるいはデジタルスチルカメラ等に用いて好適なシャッタ装置に関する。
【背景技術】
【０００２】
従来のシャッタ装置を、特許文献１に基づいて説明すると、図７に示すように、リング状のマグネット１には、中央部に嵌合孔１ａが形成され、上面側に突出するダボ１ｂと、下面側に突出する２本のダボ１ｃ、１ｄとが形成されている。
前記マグネット１は、円周方向にｎ等分されてＳ極・Ｎ極が交互に着磁されている。
また、マグネット１の上部には、円筒状のコイル２が、絶縁材料からなるボビン３に巻き付けられて配設されている。前記ボビン３には、ダボ３ａが突出形成されている。
【０００３】
また、コイル２の上部には、磁性材料からなる円盤状のヨーク４が配設され、このヨーク４には、櫛歯状の第１磁極部４ａ、４ｂ、４ｃ、４ｄ、４ｅが形成されている。そして、コイル２に通電することにより櫛歯状の第１磁極部４ａ、４ｂ、４ｃ、４ｄ、４ｅが励磁されてコイル３が回転するようになっている。
また、嵌合孔１ａに嵌合リング６を嵌合させたマグネット１の下部には、コイル２によって磁極部４ａ〜４ｅとは逆の極性が励磁される第２磁極部である平板状の羽根押さえ板９が配設されている。
前記羽根押さえ板９の中央には、所定の口径の開口部９ａが形成されている。
【０００４】
また、羽根押さえ板９の下部には、第１、第２シャッタ羽根７、８を介して中央に開口部５ａが形成された地板５が配設され、ダボ５ｂ、５ｃが形成されていると共にマグネット１のダボ１ｃ、１ｄが係合可能な長孔５ｄ、５ｅが形成されている。そして、マグネット１が回転することにより、ダボ１ｃ、１ｄが長孔５ｄ、５ｃに当接して、マグネット１の回転角度が所定角度で規制されるようになっている。
また、第１シャッタ羽根７は、丸孔７ａが地板５のダボ５ｃに嵌合すると共に、丸孔７ｂがマグネット１のダボ１ｄに嵌合している。  
【０００５】
また、第２シャッタ羽根８は、丸孔８ａが地板５のダボ５ｂに嵌合すると共に、丸孔８ｂがマグネット１のダボ１ｃに嵌合している。前記地板５の下部には、ＮＤフィルタ板１０が配設され、孔１０ａが地板５の下面に形成したダボ（図示せず）に嵌合して回転自在になっている。
前記ＮＤフィルタ板１０には、光の透過率が小さなフィルタ部１０ｂが接着剤等で貼付されて形成されている。
そして、ＮＤフィルタ板１０が孔１０ａを支点として回動することにより、フィルタ１０ｂが地板５および羽根押さえ板９の開口部５ａ、９ａを覆うことができるようになっている。
【０００６】
また、ヨーク４上には連動レバー１１が配設されており、孔１１ａがボビン３のダボ３ａに支持されて、孔１１ａを支点として連動レバー１１が回動自在になっている。また、連動レバー１１の溝部１１ｂは、マグネット１のダボ１ｂに嵌合しており、マグネット１が回転すると、この回転に応じた角度だけ孔１１ａを支点として連動レバー１１が回動するようになっている。
前記連動テバー１１には、ギア部１１ｃが形成され、このギア部１１ｃに入力ギア１２のギア部１２ａが噛み合っている。
【０００７】
前記入力ギア１２は、内部にラチエットギア（図示せず）を有する出力部材１３と共にワンウエイクラッチを構成している。また、出力部材１３のピン１３ｂがＮＤフィルタ板１０の長孔１０ｃと摺動可能に嵌合している。
そして、出力部材１３の回転に応じて、ＮＤフィルタ板１０が回動して、フィルタ部１０ｂがそれぞれの開口部５ａ、９ａを覆う動作、または開放する動作を行うようになっている。
【０００８】
このような構成の従来のシャッタ装置におけるマグネット１とＮＤフィルタ板１０との動作を説明すると、例えばコイル２に対して非通電時は、フィルタ部１０ｂが開口部５ａ、９ａから待避した第１の露光状態となって停止している。
この状態から、コイル２に通電を行い、ヨーク４の磁極部４ａ〜４ｅのＳ極に励磁すると、回転方向の電磁力を受けたマグネット１は、時計回り方向に所定角度回転する。
【０００９】
この時の入力ギア１２は、連動レバー１１を介して回転するが、出力部材１３は内部のラチエットギアの作用で回転しないようになっている。そのために、ＮＤフィルタ板１０のフィルタ１０ｂは、羽根押さえ板９の開口部９ａから回避した第１の露光状態で停止したままである。
ここで、コイル２への通電方向を反対にすると、ヨーク４の磁極部４ａ〜４ｅがＮ極に励磁されて、マグネット１は反時計回り方向に所定角度回転する。
【００１０】
また、マグネット１の反転に連動して入力ギア１２も反転し、出力部材１３のラチエットギアの作用で出力部材１３が反時計回り方向に所定角度回転する。
これの伴って、出力部材１３のピン１３ｂにより、ＮＤフィルタ１０が回動して、フィルタ部１０ｂが開口部５ａ、９ａを覆うようになる。
このことにより、開口部５ａ、９ａを通過する光量が第１の露光状態より少ない第２の露光状態となる。
【特許文献１】特開２００２−３４５２２５号公報
【特許文献２】特開２００３−１１１３７６号公報
【発明の開示】
【発明が解決しようとする課題】
【００１１】
しかし、前述したような従来のシャッタ装置は、シャッタ羽根７、８上には、シャッタ羽根７、８およびＮＤフィルタ板１０を駆動するためのアクチュエータであるマグネット１、コイル２、ヨーク４等が、シャッタ羽根７、８と干渉する位置に積層されているので、厚さが厚くなる問題があった。
また、従来のシャッタ装置は、ＮＤフィルタ板１０を操作するのに、連動レバー１１、入力ギア１、および内部にラチエットギアを有する出力部材等が必要になり、部品点数が多くなってコストアップになる問題があった。
【００１２】
また、シャッタ羽根７、８により開口部５ａ、９ａが、例えば開放状態において、カメラの電源をＯＦＦにしてコイル２への通電が切られれた状態で、外部から、シャッタ羽根７、８が開口部５ａ、９ａを閉じる方向の衝撃力が加わった場合に、マグネット１及びレバー１１を介して入力ギア１２が回転する。
そして、シャッタ羽根７、８が、開口部５ａ、９ａを開放状態から遮蔽状態となり、その後、カメラの電源を立ち上げてコイル２に通電した時に、カメラが誤作動するおそれがあった。
【００１３】
本発明は、前述したような課題を解決するためのものであり、部品点数を少なくして薄型化が可能であると共に、外部から衝撃力が加わったとしても、シャッタ羽根を所定の保持力で保持して動きを規制可能なシャッタ装置を提供することを目的とする。
【課題を解決するための手段】
【００１４】
前記課題を解決するための第１の解決手段として本発明のシャッタ装置は、所定の口径の開口部を有するベース部材と、このベース部材のシャッタ羽根支持部に支持されて前記開口部を開閉可能なシャッタ羽根と、このシャッタ羽根を回動操作可能なアクチュエータとを備え、前記アクチュエータは、前記ベース部材に沿って回動自在に支持されたガイド部材を有し、
前記シャッタ羽根は、一端部側が前記開口部を開閉可能になっていると共に、他端部側が前記ガイド部材に支持され、前記アクチュエータの駆動で、前記ガイド部材が前記ベース部材に沿って回動することにより、前記シャッタ羽根が前記シャッタ羽根支持部を支点として回動して前記シャッタ羽根の一端部側が前記開口部を開閉可能になっており、前記開口部を開閉する前記シャッタ羽根は、前記アクチュエータと干渉しない位置に配設されていることを特徴とする。
【００１５】
また、前記課題を解決するための第２の解決手段として、前記アクチュエータは、前記ガイド部材に固着したマグネットと、このマグネットと対向する側に配設したコイルとを有し、このコイルに通電して発生する磁束が前記マグネットの磁束に作用して、前記ガイド部材が前記ベース部材に沿って回動するようにしたことを特徴とする。
【００１６】
また、前記課題を解決するための第３の解決手段として、前記ガイド部材は、一端部側が前記ベース部材に形成したガイド部材支持部に支持されると共に、他端部側に形成した羽根係合部が前記シャッタ羽根の前記他端部に形成した係合部に係合可能になっており、前記ガイド部材が回動して、前記羽根係合部が前記シャッタ羽根の係合部内をスライドすると、前記シャッタ羽根が前記開口部を開閉する方向に回動するようになっていることを特徴とする。
【００１７】
また、前記課題を解決するための第４の解決手段として、前記ガイド部材は、前記ベース部材の一方の面に沿って回動可能に配設され、前記シャッタ羽根は、前記ベース部材の他方に面に形成した前記シャッタ羽根支持部に支持されて回動可能になっており、前記ベース部材は、前記マグネットが位置する部分が開放されて、前記マグネットと前記コイルとが対向していることを特徴とする。
【００１８】
また、前記課題を解決するための第５の解決手段として、前記コイルは、導線を巻回した巻線コイルで形成されて、前記マグネットと所定寸法のギャップを有して対向する側に配設したことを特徴とする。
【００１９】
また、前記課題を解決するための第６の解決手段として前記ベース部材の前記他方の面には、絞り羽根支持部が形成され、この絞り羽根支持部には、前記開口部の口径より小さい小径穴を有する絞り羽根が回動自在に支持されてことを特徴とする。
【００２０】
また、前記課題を解決するための第７の解決手段として、前記絞り羽根は、前記シャッタ羽根を駆動可能な前記アクチュエータとは異なるアクチュエータによって独立して駆動可能になっていることを特徴とする。
【００２１】
また、前記課題を解決するための第８の解決手段として、前記絞り羽根は、前記アクチュエータと干渉しない位置に配設されていることを特徴とする。
【００２２】
また、前記課題を解決するための第９の解決手段として、前記ガイド部材を介して前記マグネットと対向する側には、板状のヨークが配設され、このヨークには、前記シャッタ羽根が前記開口部を開放状態、または遮蔽状態にある時の前記ガイド部材に固着した前記マグネットを、所定の保持力で保持可能な保持部が形成されていることを特徴とする。
【００２３】
また、前記課題を解決するための第１０の解決手段として、前記シャッタ羽根が前記開放状態、または前記遮蔽状態において、前記マグネットと前記保持部との間に所定寸法のギャップが形成されていることを特徴とする。
【００２４】
また、前記課題を解決するための第１１の解決手段として、前記ガイド部材の回動方向における幅寸法は、前記マグネットの幅寸法より小さく形成され、前記マグネットの幅方向の両端面が前記ガイド部材の幅方向の両端面から外側にはみ出た状態で前記マグネットが前記ガイド部材に固着され、前記シャッタ羽根が前記開放状態、または前記遮蔽状態において、前記マグネットのはみ出し部分の下面と対向する前記保持部との間に、前記ギャップが形成されるようになっていることを特徴とする。
【００２５】
また、前記課題を解決するための第１２の解決手段として、前記保持部は、前記ヨークの一部を所定高さで突出させて形成したことを特徴とする。
【発明の効果】
【００２６】
本発明のシャッタ装置に係わるシャッタ羽根は、一端部側が開口部を開閉可能になっていると共に、他端部側がガイド部材に支持され、アクチュエータの駆動で、ガイド部材がベース部材に沿って回動することにより、シャッタ羽根がシャッタ羽根支持部を支点として回動してシャッタ羽根の一端部側が開口部を開閉可能になっており、開口部を開閉するシャッタ羽根は、アクチュエータと干渉しない位置に配設されているので、薄型化が可能なシャッター装置を提供できる。
【００２７】
また、アクチュエータは、ガイド部材に固着したマグネットと、このマグネットと対向する側に配設したコイルとを有し、このコイルに通電して発生する磁束がマグネットの磁束に作用して、ガイド部材がベース部材に沿って回動するようにしたので、ガイド部材の回動でシャッタ羽根を回動させて、開口部を開閉するシャッター動作を確実に行うことができる。
【００２８】
また、ガイド部材が回動して、羽根係合部がシャッタ羽根の係合部内をスライドすると、シャッタ羽根が開口部を開閉する方向に回動するようになっているので、更に確実なシャッタ動作を行うことができる。
【００２９】
また、ガイド部材は、ベース部材の一方の面に沿って回動可能に配設され、シャッタ羽根は、ベース部材の他方の面に形成したシャッタ羽根支持部に支持されて回動可能になっており、ベース部材は、マグネットが位置する部分が開放されて、マグネットとコイルとが対向しているので、マグネットとコイルとを近接させることができ、更に薄型化が可能である。
【００３０】
また、コイルは、マグネットと所定寸法のギャップを有して対向する側に配設したＦＰＣ（フレキシブル基板）に形成され、ＦＰＣはベース部材の上方を遮蔽するカバー部材に取り付けられているので、薄型化が可能である。
【００３１】
また、コイルは、ＦＰＣのマグネットと対向する側に印刷形成されているので、コイルを薄くすることができる。
【００３２】
また、ベース部材の他方の面には、絞り羽根支持部が形成され、この絞り羽根支持部には、開口部を通過する光量を調整可能なＮＤフィルタを取り付けた絞り羽根が回動自在に支持されてので、絞り羽根の回動でＮＤフィルタが確実に開口部を遮ることができる。
【００３３】
また、ＮＤフィルタは、シャッタ羽根を駆動可能な前記アクチュエータとは異なるアクチュエータによって独立して駆動可能になっているので、シャッタ羽根とＮＤフィルタとをそれぞれ独立して駆動させることができ、操作性の良いシャッター装置を提供できる。
【００３４】
また、ＮＤフィルタを取り付けた絞り羽根は、アクチュエータと干渉しない位置に配設されているので、薄型化が可能である。
【００３５】
また、ガイド部材を介してマグネットと対向する側には、板状のヨークが配設され、このヨークには、シャッタ羽根が開口部を開放状態、または遮蔽状態にある時のガイド部材に固着したマグネットを、所定の保持力で保持可能な保持部が形成されているので、シャッタ羽根が開口部を開放状態、または遮蔽状態にある時のガイド部材は、マグネットと保持部との間の磁力によって所定の保持力で保持することができ、外部から衝撃が加わったとしてもシャッタ羽根の動きを規制することができる。
【００３６】
また、シャッタ羽根が開放状態、または遮蔽状態においてマグネットと保持部との間に所定寸法のギャップが形成されているので、コイルに通電したときにマグネットを介してガイド部材を瞬時に動かすことができる。
【００３７】
また、マグネットの幅方向の両端面がガイド部材の幅方向の両端面から外側にはみ出た状態でマグネットがガイド部材に固着され、シャッタ羽根が開放状態、または遮蔽状態において、マグネットのはみ出し部分の下面と対向する保持部との間に、所定のギャップが形成されるようになっているので、ガイド部材に固着したマグネットに若干の位置ズレがあったとしても、保持部と確実に対向させることができる。そのために、保持部に対するマグネットの磁力による保持力のバラツキを小さくできる。
【００３８】
また、保持部は、ヨークの一部を所定高さで突出させて形成したので、保持部をプレス等でヨークに一体形成することができ、バラツキのない保持部を形成することができる。
【発明を実施するための最良の形態】
【００３９】
以下、本発明に関するシャッタ装置を図面に基づいて説明する。図１は本発明の第１に実施の形態のシャッタ装置の分解斜視図であり、図２〜図６は図１に示すシャッタ装置の動作を説明する平面図であり、図７、図８は本発明の第２の実施の形態の動作を説明する平面図であり、図９、図１０は図７に示すマグネットと保持部との関係を説明する概略図である。
【００４０】
まず、本発明の実施の形態のシャッタ装置２１を図１に基づいて説明すると、最下部には、鋼板等の磁性材料からなる板状のヨーク２２が配設されている。
前記ヨーク２２は、図示手前側に円弧状の切り欠き部２２ａが形成され、この切り欠き部２２ａに沿った内周側の２箇所、および外周部のコーナ部の２箇所を、所定高さで切り起こして、互いに対向する位置に保持部２２ｂが一体形成されている。また、ヨーク２２には、図示左側の表面上に、樹脂材料からなり形状が略Ｌ字状の第１ガイド部材２３が載置されていると共に、図示右側の表面上に、第１ガイド部材２３と略対象形状の第２ガイド部材２４が載置されている。
【００４１】
前記第１ガイド部材２３は、一端部側である図示右端部側に支持孔２３ａが貫通形成されると共に、他端部側である図示左手前側端部に後述するシャッタ羽根２７の支持溝２７ｃに係合可能な羽根係合部である支持突起２３ｂが所定高さで突出形成されている。
また、支持孔２３ａと支持突起２３ｂとの間のＬ字状のコーナ部が、略矩形状に所定寸法彫り込みされて磁石取付部２３ｃが形成されている。
また、第２ガイド部材２４は、一端部側である図示左端部側に支持孔２４ａが貫通形成されると共に、他端部側である図示右手前側端部に後述する絞り羽根２８の支持溝２８ｃに係合可能な突起状の支持突起２４ｂが所定高さで突出形成されている。
【００４２】
前記第２ガイド部材２４には、支持孔２４ａと支持突起２４ｂとの間のＬ字状のコーナ部が、略矩形状に所定寸法彫り込みされて磁石取付部２４ｃが形成されている。
前記第１、第２ガイド部材２３、２４のそれぞれの磁石取付部２３ｃ、２４ｃには、板状で同じ形状に形成された永久磁石からなるマグネット２５、２５が接着剤等で固着されている。
このような第１、第２ガイド部材２３、２４は、それぞれの支持孔２３ａ、２４ａを重ね合わせた状態でヨーク２２の表面に載置され、支持孔２３ａ、２４ａに後述するベース部材の一方の面に形成した支持突起（図示せず）嵌合するようになっている。
そして第１ガイド部材２３は、支持孔２３ａ支点として支持突起２３ｂ側が矢印Ａ、Ｂ方向に回動自在になっており、第２ガイド部材２４は、支持孔２４ａを支点として支持突起２４ｂ側が回動自在になっている。
【００４３】
また、ヨーク２２上には、第１、第２ガイド部材２３、２４を介して樹脂材料からなるベース部材２６が配設され、このベース部材２６の下面側である一方の面に、第１、第２ガイド部材２３、２４を載置したヨーク２２が接着剤等で取り付けされるようになっている。また、ベース部材２６は、樹脂材料からなり、外形が野球のホームベース状に形成されている。
即ち、ヨーク２２上に載置された第１、第２ガイド部材２３、２４は、ベース部材２６の下面側であるベース部材２６の一方の面に沿って回動自在になっている。前記ベース部材２６には、ヨーク２２の円弧状の切り欠き部２２ａが位置する部分に、所定の口径からなる円形状の開口部２６ａが貫通形成されている。
【００４４】
また、ベース部材２６には、開口部２６ａから図示前後方向に延びる中心線Ｄを挟んだ図示左右のコーナ部が、略矩形状の第１、第２角孔２６ｂ、２６ｃによって開放され、この第１、第２角孔２６ｂ、２６ｃに、第１、第２ガイド部材２３、２４に取り付けたマグネット２５、２５がそれぞれ位置して、矢印Ａ、Ｂ方向および矢印Ｃ、Ｄ方向に回動可能になっている。
また、第１角孔２６ｂに隣接する図示手前側のベース部材２６には、突起状のシャッタ羽根支持部材２６ｄが突出形成されると共に、シャッタ羽根支持部２６ｄに隣接する手前側に楕円孔２６ｅが貫通形成されている。
【００４５】
前記楕円孔２６ｅには、第１ガイド部材２３の支持突起２３ｂが挿通可能になっているので、第１ガイド部材２３が支持孔２３ａを支点として回動可能になっている。
また、第２角孔２６ｃに隣接する図示手前側のベース部材２６には、突起状の絞り羽根支持部２６ｆが突出形成されると共に、絞り羽根支持部２６ｆに隣接する手前側には楕円孔２６ｇが貫通形成されている。
【００４６】
前記楕円孔２６ｇには、第２ガイド部材２４の支持突起２４ｂが挿通可能になっているので、第２ガイド部材２４が支持孔２４ａを支点として回動可能になっている。また、ベース部材２６の他方の面である図示上面には、シャッタ羽根支持部２６ｄに支持されて開口部２６ａを開閉可能なシャッタ羽根２７が配設されている。
このシャッタ羽根２７は、シャッタ羽根支持部２６ｄに嵌合可能な支持孔２７ａを有し、この支持孔２７ａの図示右側の一端部側には、面積の大きな遮蔽部２７ｂが形成されて、開口部２６ａを遮蔽可能になっている。
前記シャッタ羽根２７は、カーボン等の導電性粉末を練り込みした樹脂材料等により薄肉に形成されているので、開口部２６ａを開閉時に発生する静電気を確実に除電することができるようになっている。
【００４７】
また、シャッタ羽根２７は、支持孔２７ａの図示左側の他端部側には、係合部である長溝状の支持溝２７ｃが形成され、この支持溝２７ｃにベース部材２６の楕円孔２６ｅを挿通する第１ガイド部材２３の支持突起２３ｂが係合可能になっている。そして、第１ガイド部材２３が支持孔２３ａを支点としてベース部材２６の一方の面に沿って矢印Ａ、Ｂ方向に回動すると、シャッタ羽根２７は、シャッタ羽根支持部２６ｄに嵌合する支持孔２７ａを支点として、遮蔽部２７ｂ側が第１ガイド部材２３の回動方向と逆方向に回動するようになっている。
【００４８】
そのために、本発明のシャッタ装置２１を、例えば図２に示すような、シャッタ羽根２７が開口部２６ａを開放した状態で、シャッタ装置２１に矢印Ｅ方向の衝撃力が加わった場合に、シャッタ羽根２７の一端部側である面積の大きな遮蔽部２７ｂが形成された側には、矢印Ｅ方向の衝撃力と反対方向である矢印Ｆ方向の慣性力が働く。
【００４９】
同時に、マグネット５を取り付けた第１ガイド部材２３にも、シャッタ羽根２７の他端部側の支持溝２７ｃに嵌合する支持突起２３ｂ側に、矢印Ｆ方向の慣性力が働く。
そのために、シャッタ羽根２７は、一端部側の遮蔽部２７ｂに発生する矢印Ｆ方向の慣性力が、他端部側に発生する第１ガイド部材２３の慣性力により相殺される。  そのために、シャッタ装置２１に矢印Ｅ方向の衝撃力が加わったとしても、シャッタ羽根２７の遮蔽部２７ｂに発生する慣性力を相殺して、遮蔽部２７ｂが開口部２６ａを閉じる方向に動こうとするのを阻止することができる。
【００５０】
また、ベース部材２６の絞り羽根支持部２６ｆには、絞り羽根２８が配設されている。前記絞り羽根２８は、ベース部材２６の絞り羽根支持部２６ｆに嵌合可能な支持孔２８ａが形成され、この支持孔２８ａの図示右側で一端部側には、開口部２６ａの口径より若干大きい大径穴（図示せず）を有して略リング状の絞り部２８ｂが形成され、この絞り部２８ｂにＮＤフィルタ２９が接着剤等で取り付けられている。
そして、絞り部２８ｂに取り付けたＮＤ（ｎｅｔｒａｌ  ｄｅｎｓｉｔｙ）フィルタ２９が、開口部２６ａを遮蔽可能になっている。
前記ＮＤフィルタ２９は、開口部２６ａを通過する光の強度（光量）を、減少する側に調整可能になっている。
尚、絞り羽根２８は、絞り部２８ｂに開口部２６ａの口径より小さな小径穴（図示せず）を形成し、この小径穴で開口部２６ａを通過する光の強度（光量）を調整するようにしたものでも良い。
【００５１】
また、絞り羽根２８は、支持孔２８ａの図示左側である他端部側に長溝状の支持溝２８ｃが形成され、この支持溝２８ｃにベース部材２６の楕円孔２６ｇを挿通する第２ガイド部材２４の支持突起２４ｂが係合可能になっている。
そして、ＮＤフィルタ２９は、第２ガイド部材２４をベース部材２６の一方の面に沿って矢印Ｃ、Ｄ方向に回動させると、絞り羽根支持部２６ｆに嵌合する支持孔２８ａを支点として、第２ガイド部材２３の回動方向と逆方向に回動するようになっている。
そのために、絞り羽根２８も、シャッタ羽根２７と同様に、外部から衝撃力が加わることによってＮＤフィルタ２９に発生する慣性力を、第２ガイド部材２４の慣性力で相殺することができるようになっている。
【００５２】
また、ベース部材２６の第１、第２角孔に位置する、それぞれのマグネット２５上には、所定寸法のギャップを有して対向する円形状に巻回された第１、第２コイル３０、３１が配設されている。
前記一対の第１、第２コイル３０、３１は、ＦＰＣ（フレキシブル基板）３２に接着剤等で固着されて、端子部３２ａ側に回路パターン（図示せず）で接続部が引き出しされている。また、ＦＰＣ３２は、ベース部材２６の上方を覆う鋼板等からなるカバー部材３３に接着剤等で固着されている。
【００５３】
また、カバー部材３３の中央部でベース部材２６の開口部２６ａが対向する位置には、略楕円状の開放孔３３ａが形成されている。前記開放孔３３ａは、略楕円状に形成されているので、図２に示すような、開口部２６ａを開放する開放状態のシャッタ羽根２７の遮蔽部２７ｂおよびＮＤフィルタ２９の一部が露出するようになっている。
また、カバー部材３３には、ベース部材２６の楕円孔２６ｅ、２６ｇと対向する位置に、楕円孔２６ｅ、２６ｇと同形状の楕円孔３３ｂ、３３ｂが貫通形成されている。
【００５４】
前述したような構成の第１の実施の形態のシャッタ装置２１の組立は、図１に示す状態のベース部材２６を裏返して、一方の面である下面側を上向きにする。そして、ベース部材２６の下面側に形成した支持突起（図示せず）に第１ガイド部材２３の支持孔２３ａを挿入すると共に第２ガイド部材２４の支持孔２４ａを挿入する。
すると、第１、第２ガイド部材２３、２４は、それぞれの支持孔２３ａ、２４ａ部分が重ね合わせされると共に、それぞれの支持突起２３ｂ、２４ｂが、ベース部材２６の楕円孔２６ｅ、２６ｇに位置する。そして、第１、第２ガイド部材２３、２４に固着したそれぞれのマグネット２５、２５が、第１、第２角孔２６ｂ、２６ｃに位置する。
【００５５】
このように、ベース部材２６の一方の面（下面）に支持した第１、第２ガイド部材２３、２４は、上方からヨーク２２をかぶせて、接着剤等でヨーク２２とベース部材２６とが一体化されている。
その後、ヨーク２２を固着したベース部材２６を裏返して、図１に示すように、他方の面を上向きにすると、第１、第２ガイド部材２３、２４が、それぞれの支持孔２３ａ、２４ａを支点としてヨーク２２上を回動可能になっている。
前記第１、第２ガイド部材２３、２４は、図示を省略したストッパによって回動範囲が規制されており、第１、第２ガイド部材２３、２４が最大に回動したとしても、マグネット２５、２５と、ヨーク２２に形成した保持部２２ｂとの間に、所定寸法のギャップが形成されて、互いがぶつからないようになっている。
【００５６】
次ぎに、ヨーク２２を固着したベース部材２６を、図１に示すように、他方の面を上向きにした状態で、シャッタ羽根支持部２６ｄにシャッタ羽根２７の支持孔２７ａを挿入すると共に、楕円孔２６ｅを挿通する第１ガイド部材２３の支持突起２３ｂに支持溝２７ｃを嵌合させる。
このことにより、図２に示すように、シャッタ羽根２７がベース部材２６の他方の面上に載置される。
【００５７】
この時のシャッタ羽根２７は、第１角孔２６ｂに位置するアクチュエータの一部であるマグネット２５と重ならないようになっている。
即ち、シャッタ羽根２７は、アクチュエータの一部を構成するマグネット２５と干渉しない位置のベース部材２６上に配設されている。
また、ベース部材２６の絞り羽根支持部２６ｆに、ＮＤフィルタ２９を取り付けた絞り羽根２８の支持孔２８ａを挿入すると共に、楕円孔２６ｇを挿通する第２ガイド部材２４の支持突起２４ｂに支持溝２８ｃを嵌合させる。
このことにより、図２に示すように、ＮＤフィルタ２９がベース部材２６の他方の面上に載置される。
【００５８】
この時の絞り羽根２８は、第２角孔２６ｃに位置するアクチュエータの一部であるマグネット２５と重ならないようになっている。
次ぎに、シャッタ羽根２７とＮＤフィルタ２９を載置したベース部材２６の上から、ＦＰＣ３２を固着したカバー部材３３をかぶせて、カバー部材３３とベース部材２６とを接着剤等で接着することで、ヨーク２２、ベース部材２６、カバー部材３３とが一体化されて、本発明のシャッタ装置２１が組み立てられている。
【００５９】
このように組み立てられた本発明の第１の実施の形態のシャッタ装置２１の動作を説明すると、まず、アクチュエータの一部である第１、第２コイル３０、３１に通電する前で、シャッタ羽根２７、およびＮＤフィルタ２９が開口部２６ａを開放した開放状態においては、図２に示すように、シャッタ羽根２７の遮蔽部２７ｂ上にＮＤフィルタ２９が重なった状態になっている。
そして、第１、第２角孔２６ｂ、２６ｃに位置するマグネット２５と、ヨーク２２に形成した内周側の保持部２２ｂとの間に所定寸法のギャップが形成されている。
【００６０】
そして、マグネット２５の磁力が内側の保持部２２ｂに作用して、第１、第２ガイド部材２３、２４が所定の保持力で保持されて動きが規制されるようになっている。
そのために、シャッタ装置２１に外部から衝撃力が加わったとしても、第１、第２ガイド部材２３、２４の動きが規制されて、２７ｂ、または２９が開口部２６ａ遮蔽する方向に回動するのを防止することができる。
また、開放状態における第１コイル３０に通電することにより発生する磁束が、第１ガイド部材２３に固着しているマグネット２５の磁束に作用し、前記マグネット２５と保持部２２ｂとの間の磁力より大きな磁力が働いて、第１ガイド部材２３が支持孔２３ａを支点として支持突起２３ｂ側が矢印Ｂ方向に回動する。
【００６１】
すると、シャッタ羽根２７は、シャッタ羽根支持部２６ｄに嵌合する支持孔２７ａを支点として時計回り方向に回動して、遮蔽部２７ｂが図３、図４に示すように、開口部２６ａを遮蔽してシャッタ動作が行われる。
前記シャッタ羽根２７が開口部２６ａを遮蔽する動作に伴って、第１ガイド部材２３に固着したマグネット２５は、図４に示すように、外周側の保持部２２ｂに近づく。このことにより、マグネット２５と保持部２２ｂとの間の磁力によって、第１ガイド部材２３が所定の保持力で保持されるようになっている。
また、第１コイル３０に逆方向を電流を通電すると、前記マグネット２５と保持部２２ｂとの間の磁力より大きな磁力が働いて、第１ガイド部材２３が支持孔２３ａを支点として支持突起２３ｂ側が矢印Ａ方向に回動する。
すると、シャッタ羽根２７は、シャッタ羽根支持部２６ｄに嵌合する支持孔２７ａを支点として反時計回り方向に回動して、遮蔽部２７ｂが、開口部２６ａを開放する方向に回動して、図２に示す開放状態に復帰する。
【００６２】
また、開放状態にあるＮＤフィルタ２９を駆動するには、第２コイル３１に通電することにより発生する磁束が、第２ガイド部材２４に固着しているマグネット２５の磁束に作用して、第２ガイド部材２４が支持孔２４ａを支点として支持突起２４ｂ側が矢印Ｄ方向に回動する。
すると、絞り羽根２８は、絞り羽根支持部２６ｆに嵌合する支持孔２８ａを支点として反時計回り方向に回動して、ＮＤフィルタ２９が図５、図６に示すように、開口部２６ａを遮るフィルタ動作が行われる。
また、第２コイル３１に逆方向を電流を通電すると、第２ガイド部材２４が支持孔２４ａを支点として支持突起２４ｂ側が矢印Ｃ方向に回動する。
すると、絞り羽根２８は、支持孔２８ａを支点として反時計回り方向に回動して、ＮＤフィルタ２９が、開口部２６ａを開放する方向に回動して、図２に示す開放状態に復帰する。
前記ＮＤフィルタ２９においても、シャッタ羽根２７と同様に、第２ガイド部材２４に固着したマグネット２５とヨーク２２に形成した保持部２２ｂとの間で発生する磁力によって、シャッタ羽根２７が開放状態及び遮蔽状態の第２ガイド部材２４を、所定の保持力で保持するようになっている。
【００６３】
前述したような本発明のシャッタ装置２１は、シャッタ羽根２７、絞り羽根２８が、アクチュエータであるマグネット２５およびコイル３０、３１と干渉しない位置に配設されているので、薄型化が可能である。
また、本発明のシャッタ装置２１が、図２に示すように、例えばシャッタ羽根２７及びＮＤフィルタ２９が開口部２６ａを開放した状態において、外部から所定の衝撃力が加わったとしても、シャッタ羽根２７及びＮＤフィルタ２９を回動操作する第１、第２ガイド部材２３、２４に固着したマグネット２５と、ヨーク２２の保持部２２ｂとの間で発生する磁力によって、シャッタ羽根２７及びＮＤフィルタ２９が開口部２６ａを閉じる方向に動こうとするのを阻止することができる。
【００６４】
また、本発明の第２の実施の形態のシャッタ装置４１を、図７〜図１０に基づいて説明する。第２の実施の形態のシャッタ装置４１を、第１の実施の形態と異なる部分のみについて説明すると、シャッタ装置４１のヨーク４２には、図９、図１０に示すように、一部をプレス等で、所定の幅寸法と高寸法で突出させて、一対の保持部４２ｂを互いに対向する位置に一体形成されている。
そのために、幅寸法及び高さ寸法のバラツキが小さな保持部４２ｂを形成することができる。
【００６５】
また、第１ガイド部材４３は、マグネット２５を接着剤等固着した固着部４３ａの幅寸法Ｈが、マグネット２５の幅寸法Ｊより小さく形成されている。
そのために、第１ガイド部材４３の固着部４３ａに固着したマグネット２５は、寸法Ｆの幅方向の図示左右の両端面が、第１ガイド部材４３の固着部４３ａの寸法Ｅの幅方向の両端部から外側にはみ出た状態となっている。
そして、第１ガイド部材４３を回動させて、シャッタ羽根２７が開口部２６ａを開放状態または遮蔽状態において、マグネット２５のはみ出し部分と対向する保持部４２ｂとの間には、所定寸法のギャップＫが形成されるようになっている。
【００６６】
このような第２の実施の形態のシャッタ装置４１の動作は、図７に示すようにシャッタ羽根２７が開口部２６ａを開放した状態で、第１コイル３０に通電することにより発生する磁束が、第１ガイド部材４３の固着部４３ａに固着しているマグネット２５の磁束に作用し、第１ガイド部材４３の支持突起４３ｂ側が反時計回り方向に回動する。
このことにより、シャッタ羽根２７は、図８に示すように、開口部２６ａを遮蔽する方向に回動してシャッタ動作が行われる。
【００６７】
前記シャッタ羽根２７が開口部２６ａを遮蔽する動作に伴って、第１ガイド部材４３に固着したマグネット２５は、図８に示すように、内周側の保持部４２ｂ上にかぶさるように対向して位置する。
このことにより、マグネット２５の保持部４２ｂに対して発生する磁力によって、第１ガイド部材４３が所定の保持力で保持することができる。
このような本発明の第２の実施の形態のシャッタ装置４１は、例えばシャッタ羽根２７が開口部２６ａを開放した状態において、外部から所定の衝撃力が加わったとしても、シャッタ羽根２７を回動操作する第１ガイド部材４３に固着したマグネット２５と、第１ガイド部材４３が所定の保持力で保持されているので、シャッタ羽根２７が開口部２６ａを閉じる方向に動こうとするのを阻止することができる。
【００６８】
尚、本発明の第２実施の形態では、シャッタ羽根２７を駆動する第１ガイド部材４３側のみについて説明したが、ＮＤフィルタ２９を駆動する第２ガイド部材（図示せず）側も、第１ガイド部材４３側と同じように形成されている。
また、本発明の第２実施の形態では、保持部４２ｂをヨーク４２を突き出し加工で突出形成したが、所定厚さの磁性材料を、ヨーク４２にスポット溶接、あるいは半田付け等で電気的に接続して一体化したものでも良い。
【図面の簡単な説明】
【００６９】
【図１】本発明の第１の実施の形態の分解斜視図である。
【図２】図１に示すシャッタ羽根の動作を説明する平面図である。
【図３】図１に示すシャッタ羽根の動作を説明する平面図である。
【図４】図１に示すシャッタ羽根の動作を説明する平面図である。
【図５】図１に示すＮＤフィルタの動作を説明する平面図である。
【図６】図１に示すＮＤフィルタの動作を説明する平面図である。
【図７】本発明の第２の実施の形態の動作を説明する平面図である。
【図８】本発明の第２の実施の形態の動作を説明する平面図である。
【図９】図７に示すマグネットと保持部との関係を説明する概略図である。
【図１０】図７に示すマグネットと保持部との関係を説明する概略図である。
【図１１】従来のシャッタ装置の分解斜視図である。
【符号の説明】
【００７０】
２１  第１の実施の形態のシャッタ装置
２２  ヨーク
２２ｂ  位置決め突起
２３  第１ガイド部材
２３ａ  支持孔
２３ｂ  支持突起
２３ｃ  磁石取付部
２４  第２ガイド部材
２５  マグネット
２６  ベース部材
２６ａ  開口部
２６ｂ  第１角孔
２６ｃ  第２角孔
２６ｄ  シャッタ羽根支持部
２６ｅ  楕円孔
２６ｆ  絞り羽根支持部
２６ｇ  楕円孔
２７  シャッタ羽根
２７ａ  支持孔
２７ｂ  遮蔽部
２７ｃ  支持溝
２８  絞り羽根
２８ａ  支持孔
２８ｂ  絞り部
２８ｃ  支持溝
２９  ＮＤフィルタ
３０  第１コイル
３１  第２コイル
３２  ＦＰＣ
３３  カバー部材
４１  第２の実施の形態のシャッタ装置
４２  ヨーク
４３  第１ガイド部材
【図１】
2005242277.tif 000003
【図２】
2005242277.tif 000004
【図３】
2005242277.tif 000005
【図４】
2005242277.tif 000006
【図５】
2005242277.tif 000007
【図６】
2005242277.tif 000008
【図７】
2005242277.tif 000009
【図８】
2005242277.tif 000010
【図９】
2005242277.tif 000011
【図１０】
2005242277.tif 000012
【図１１】
2005242277.tif 000013